(57)【要約】【課題】  携帯端末装置と管理装置との通信が途絶えた際に、監視者に異常を通知することができる防犯システムを提供すること。【解決手段】  被監視者が保有する携帯端末装置６と、監視者が管理する監視装置１０，１４と、携帯端末装置６及び監視装置１０，１４とそれぞれ通信回線１６を介して通信接続された管理装置１８と、を備える。携帯端末装置６から管理装置１８への位置情報データの送信が設定時間以上途絶えると、監視手段９４は仮異常と判定し、これにより異常通知手段９６は、監視装置１０，１４に仮異常信号を送信する。警報信号生成手段４４が警報信号を生成すると、携帯端末装置６は生成された警報信号を管理装置１８に送信し、監視手段９４はこの警報信号に基づき本異常と判定し、異常通知手段９６は、監視装置１８に本異常信号を送信する。【選択図】  図２
2008017174.tif 000002
【特許請求の範囲】
【請求項１】
被監視者が保有する携帯端末装置と、監視者が管理する監視装置と、前記携帯端末装置及び前記監視装置とそれぞれ通信回線を介して通信接続された管理装置と、を備え、
前記携帯端末装置は、ＧＰＳ衛星からの電波を受信して位置情報データを取得するためのＧＰＳ手段と、警報信号を生成するための警報信号生成手段と、を有し、前記ＧＰＳ手段により取得した前記位置情報データは前記通信回線を介して前記管理装置に送信され、また前記管理装置は、前記携帯端末装置を監視するための監視手段と、前記監視装置に異常を通知するための異常通知手段と、前記携帯端末装置より送信された前記位置情報データを記憶するための記憶手段と、を有しており、
前記携帯端末装置から前記管理装置への前記位置情報データの送信が設定時間以上途絶えると、前記監視手段は仮異常と判定し、これにより前記異常通知手段は、前記通信回線を介して前記監視装置に仮異常信号を送信し、また前記警報信号生成手段が警報信号を生成すると、前記携帯端末装置は生成された警報信号を前記通信回線を介して前記管理装置に送信し、前記監視手段はこの警報信号に基づき本異常と判定し、これにより前記異常通知手段は、前記通信回線を介して前記監視装置に本異常信号を送信することを特徴とする防犯システム。
【請求項２】
前記携帯端末装置から前記管理装置への前記位置情報データの送信が第１設定時間以上途絶えたときには、前記監視手段は第１レベルの仮異常と判定し、これにより前記異常通知手段は、前記通信回線を介して前記監視装置に第１レベルの仮異常信号を送信し、また前記携帯端末装置から前記管理装置への前記位置情報データの送信が前記第１設定時間を超える第２設定時間以上途絶えたときには、前記監視手段は第１レベルよりも異常の可能性がより高い第２レベルの仮異常と判定し、これにより前記異常通知手段は、前記通信回線を介して前記監視装置に第２レベルの仮異常信号を送信することを特徴とする請求項１に記載の防犯システム。
【請求項３】
前記管理装置は、前記被監視者に関する被監視者情報データを登録するためのデータ登録手段を更に有し、前記データ登録手段により登録された前記被監視者情報データは前記記憶手段に記憶されることを特徴とする請求項１又は２に記載の防犯システム。
【請求項４】
前記被監視者情報データは、前記被監視者の移動予定経路に関する移動予定経路データを含み、前記監視手段は、前記移動予定経路データに基づき前記設定時間を設定することを特徴とする請求項３に記載の防犯システム。
【請求項５】
前記記憶手段は、所定時間分の前記位置情報データを蓄積し、所定時間が経過すると、この蓄積された所定時間分の前記位置情報データの一部を自動的に消去し、また前記監視手段により仮異常又は本異常と判定されると、蓄積された所定時間分の前記位置情報データを消去されないように保護することを特徴とする請求項１〜４のいずれかに記載の防犯システム。
【請求項６】
前記携帯端末装置は、携帯端末本体と、前記携帯端末本体に取り付けられた装着用ベルトと、を有し、前記装着用ベルトは前記被監視者の身体の一部に着脱自在に取り付けられ、
前記携帯端末本体は、警報を出力するための警報出力手段と、切断監視信号を生成するための切断監視信号生成手段と、を有し、また前記装着用ベルトには導通ラインが設けられ、前記切断監視信号からの切断監視信号は前記導通ラインを通して流れ、
前記導通ラインにおいて切断監視信号の導通が遮断されると、前記警報出力手段は警報を出力し、また前記警報信号生成手段は警報信号を生成することを特徴とする請求項１〜５のいずれかに記載の防犯システム。
【請求項７】
前記監視装置は、音声を入力するための音声入力手段を有しており、前記音声入力手段に音声を入力すると、前記音声入力手段からの音声信号は前記通信回線を介して前記携帯端末装置に送信され、前記警報出力手段は、この音声信号に対応する音声を出力することを特徴とする請求項６に記載の防犯システム。
【発明の詳細な説明】
【技術分野】
【０００１】
本発明は、被監視者が緊急事態に遭遇した際に、監視者に異常を通知するための防犯システムに関する。
【背景技術】
【０００２】
従来より、被監視者が例えば痴漢や強盗、暴漢等の犯人に襲われるなどの緊急事態に遭遇した際に、監視者に異常を通知するための防犯システムが提案されている（例えば、特許文献１参照）。この防犯システムは、被監視者が保有する携帯端末装置と、監視者が管理する監視装置と、携帯端末装置及び監視装置と通信回線を介して通信接続された管理装置と、を備えている。携帯端末装置は、ＧＰＳ衛星からの電波を受信して位置情報データを取得するためのＧＰＳ手段と、警報音を出力するための警報出力手段と、警報信号を生成するための警報信号生成手段と、を有している。管理装置は、監視装置に異常を通知するための異常通知手段と、位置情報データを記憶するための記憶手段と、を有している。ＧＰＳ手段により取得した位置情報データは、所定時間毎（例えば、約５分毎）に通信回線を介して管理装置に送信され、管理装置の記憶手段に記憶される。
【０００３】
被監視者が例えば痴漢や強盗、暴漢等の犯人に襲われるなどの緊急事態に遭遇した際には、携帯端末装置を操作して警報出力手段より警報音を出力させることにより、周囲に緊急事態を報知することができるとともに、犯人を威嚇することができる。また、このように警報音が出力されると、警報信号生成手段は警報信号を生成し、携帯端末装置はこの警報信号を通信回線を介して管理装置に送信し、異常通知手段は、送信された警報信号に基づき通信回線を介して監視装置に異常を通知する。これにより監視者は、被監視者が緊急事態に遭遇していることを知ることができ、管理装置の記憶手段に記憶された位置情報データを参照することにより被監視者の現在位置を特定し、被監視者の救助に向かうことができる。
【０００４】
【特許文献１】特開２００３−１４９３１７号公報
【発明の開示】
【発明が解決しようとする課題】
【０００５】
しかしながら、上述のような従来の防犯システムでは、次のような問題がある。例えば、被監視者が犯人に襲われた際に携帯端末装置が犯人により奪われて破壊された場合や、被監視者が犯人により拉致されて車のトランクや地下倉庫などのように電波の届かない場所に閉じ込められた場合などには、携帯端末装置と管理装置との通信が途絶えてしまう。このように通信が途絶えると監視装置への異常の通知は行われないため、監視者は、被監視者が緊急事態に遭遇している可能性があることを知ることができないという問題がある。
【０００６】
本発明の目的は、携帯端末装置と管理装置との通信が途絶えた際に、監視装置に異常を通知することができる防犯システムを提供することである。
【課題を解決するための手段】
【０００７】
本発明の請求項１に記載の防犯システムでは、被監視者が保有する携帯端末装置と、監視者が管理する監視装置と、前記携帯端末装置及び前記監視装置とそれぞれ通信回線を介して通信接続された管理装置と、を備え、
前記携帯端末装置は、ＧＰＳ衛星からの電波を受信して位置情報データを取得するためのＧＰＳ手段と、警報信号を生成するための警報信号生成手段と、を有し、前記ＧＰＳ手段により取得した前記位置情報データは前記通信回線を介して前記管理装置に送信され、また前記管理装置は、前記携帯端末装置を監視するための監視手段と、前記監視装置に異常を通知するための異常通知手段と、前記携帯端末装置より送信された前記位置情報データを記憶するための記憶手段と、を有しており、
前記携帯端末装置から前記管理装置への前記位置情報データの送信が設定時間以上途絶えると、前記監視手段は仮異常と判定し、これにより前記異常通知手段は、前記通信回線を介して前記監視装置に仮異常信号を送信し、また前記警報信号生成手段が警報信号を生成すると、前記携帯端末装置は生成された警報信号を前記通信回線を介して前記管理装置に送信し、前記監視手段はこの警報信号に基づき本異常と判定し、これにより前記異常通知手段は、前記通信回線を介して前記監視装置に本異常信号を送信することを特徴とする。
【０００８】
また、本発明の請求項２に記載の防犯システムでは、前記携帯端末装置から前記管理装置への前記位置情報データの送信が第１設定時間以上途絶えたときには、前記監視手段は第１レベルの仮異常と判定し、これにより前記異常通知手段は、前記通信回線を介して前記監視装置に第１レベルの仮異常信号を送信し、また前記携帯端末装置から前記管理装置への前記位置情報データの送信が前記第１設定時間を超える第２設定時間以上途絶えたときには、前記監視手段は第１レベルよりも異常の可能性がより高い第２レベルの仮異常と判定し、これにより前記異常通知手段は、前記通信回線を介して前記監視装置に第２レベルの仮異常信号を送信することを特徴とする。
【０００９】
さらに、本発明の請求項３に記載の防犯システムでは、前記管理装置は、前記被監視者に関する被監視者情報データを登録するためのデータ登録手段を更に有し、前記データ登録手段により登録された前記被監視者情報データは前記記憶手段に記憶されることを特徴とする。
【００１０】
また、本発明の請求項４に記載の防犯システムでは、前記被監視者情報データは、前記被監視者の移動予定経路に関する移動予定経路データを含み、前記監視手段は、前記移動予定経路データに基づき前記設定時間を設定することを特徴とする。
【００１１】
さらに、本発明の請求項５に記載の防犯システムでは、前記記憶手段は、所定時間分の前記位置情報データを蓄積し、所定時間が経過すると、この蓄積された所定時間分の前記位置情報データの一部を自動的に消去し、また前記監視手段により仮異常又は本異常と判定されると、蓄積された所定時間分の前記位置情報データを消去されないように保護することを特徴とする。
【００１２】
また、本発明の請求項６に記載の防犯システムでは、前記携帯端末装置は、携帯端末本体と、前記携帯端末本体に取り付けられた装着用ベルトと、を有し、前記装着用ベルトは前記被監視者の身体の一部に着脱自在に取り付けられ、
前記携帯端末本体は、警報を出力するための警報出力手段と、切断監視信号を生成するための切断監視信号生成手段と、を有し、また前記装着用ベルトには導通ラインが設けられ、前記切断監視信号からの切断監視信号は前記導通ラインを通して流れ、
前記導通ラインにおいて切断監視信号の導通が遮断されると、前記警報出力手段は警報を出力し、また前記警報信号生成手段は警報信号を生成することを特徴とする。
【００１３】
さらに、本発明の請求項７に記載の防犯システムでは、前記監視装置は、音声を入力するための音声入力手段を有しており、前記音声入力手段に音声を入力すると、前記音声入力手段からの音声信号は前記通信回線を介して前記携帯端末装置に送信され、前記警報出力手段は、この音声信号に対応する音声を出力することを特徴とする。
【発明の効果】
【００１４】
本発明の請求項１に記載の防犯システムによれば、携帯端末装置から管理装置への位置情報データの送信が設定時間以上途絶えたときには、監視手段は仮異常と判定し、これにより異常通知手段は、通信回線を介して監視装置に仮異常信号を送信するので、例えば被監視者が犯人に襲われた際に携帯端末装置が犯人により奪われて破壊されたり、あるいは被監視者が犯人により拉致されて電波の届かない場所に閉じ込められるなどして、携帯端末装置と管理装置との通信が途絶えた場合であっても、監視者は、被監視者が緊急事態に遭遇している可能性があることを知ることができる。したがって、監視者は、例えば被監視者の救助に向かうなど被監視者の安全を確保するための適切な処置を行うことができ、被監視者を危険や犯罪などから守ることが可能となる。
【００１５】
また、本発明の請求項２に記載の防犯システムによれば、携帯端末装置と管理装置との通信が第１設定時間以上途絶えたときには、第１レベルの仮異常信号が監視装置に送信され、また携帯端末装置と管理装置との通信が第１設定時間を超える第２設定時間以上途絶えたときには、第１レベルよりも異常の可能性がより高い第２レベルの仮異常信号が監視装置に送信されるので、被監視者の安全を確保するための適切な処置を的確に行うことができる。例えば、緊急性の低い第１レベルの仮異常信号が送信されたときには、被監視者に携帯電話機などにより連絡を取るなどして被監視者の安否を確認することができ、また緊急性の高い第２レベルの仮異常信号が送信されたときには、記憶手段に記憶された位置情報データを参照して被監視者の移動経路履歴を確認し、この移動経路履歴に基づき被監視者の捜索を行うことができる。
【００１６】
さらに、本発明の請求項３に記載の防犯システムによれば、管理装置は、被監視者に関する被監視者情報データを登録するためのデータ登録手段を更に有し、データ登録手段により登録された被監視者情報データは記憶手段に記憶されるので、例えば被監視者情報データとして、被監視者の年齢や性別などの基本情報データや、当日の被監視者の服装や持ち物などの更新情報データなどを登録することができ、これにより本異常信号又は仮異常信号が監視装置に送信された際に、この登録された被監視者情報データを参照することにより、被監視者の捜索を容易に行うことができる。
【００１７】
また、本発明の請求項４に記載の防犯システムによれば、監視手段は、被監視者の移動予定経路に関する移動予定経路データに基づき設定時間を設定するので、移動予定経路に例えば地下やトンネル内などのように通信が途絶える区間が含まれている場合においても、被監視者がこの区間を通過することにより通信が途絶えた場合に仮異常と判定されることがなく、これにより監視装置に仮異常信号の送信を正確に行うことができ、信頼性の高い防犯システムを提供することが可能となる。
【００１８】
さらに、本発明の請求項５に記載の防犯システムによれば、記憶手段は、監視手段により仮異常又は本異常と判定されると、記憶された所定時間分の位置情報データを消去されないように保護するので、本異常信号又は仮異常信号が監視装置に送信された際に、所定時間（例えば、４８時間）分の被監視者の移動経路履歴を参照することができ、これにより被監視者の捜索を確実に行うことができる。
【００１９】
また、本発明の請求項６に記載の防犯システムによれば、携帯端末装置は、警報出力手段を有する携帯端末本体と、携帯端末本体に取り付けられた装着用ベルトと、を有し、装着用ベルトには導通ラインが設けられ、この導通ラインにおいて切断監視信号の導通が遮断されると、警報出力手段より警報が出力されるので、例えば被監視者が犯人に襲われた際に、被監視者自身が警報を出力させる前に犯人によって装着用ベルトが切断された場合などであっても、警報を確実に出力させることができ、高い防犯効果を得ることができる。
【００２０】
さらに、本発明の請求項７に記載の防犯システムによれば、監視装置は音声入力手段を有し、音声入力手段に入力した音声は、携帯端末装置の警報出力手段より出力されるので、例えば監視装置に仮異常信号又は本異常信号が送信された際に、監視者などの肉声により犯人に対して警告を発することができ、犯人に対してより効果的な威嚇を行うことができる。
【発明を実施するための最良の形態】
【００２１】
以下、添付図面を参照して、本発明に従う防犯システムの一実施形態について説明する。図１は、本発明の一実施形態による防犯システムを簡略的に示す概念図であり、図２は、図１の防犯システムの構成を簡略的に示すブロック図であり、図３は、図２の携帯端末装置を示す概略斜視図であり、図４は、図２の防犯システムによる異常の通知の流れを示すフローチャートである。
【００２２】
図１〜図３を参照して、図示の防犯システム２は、被監視者４（例えば、児童）が保有する携帯端末装置６と、第１監視者８（例えば、児童の保護者）が管理する第１監視装置１０と、第２監視者１２（例えば、警備会社の警備員やオペレータなど）が管理する第２監視装置１４と、携帯端末装置６、第１監視装置１０及び第２監視装置１４とそれぞれ通信回線１６を介して通信接続された管理装置１８と、を備えている。本実施形態では、通信回線１６はインターネット網及び携帯電話回線から構成されているが、これに限られず、例えば専用線、その他の公衆回線又はネットワーク回線などから構成するようにしてもよい。
【００２３】
携帯端末装置６は、携帯端末本体２０と、携帯端末本体２０に取り付けられた装着用ベルト２２と、を有し、被監視者４により携帯される。携帯端末本体２０は、ケーシング２４と、ケーシング２４の内部に設けられた制御手段２６、警報出力手段２８、音声入力手段３０及び駆動用バッテリ（図示せず）を備えている。ケーシング２４の表面側には警報スイッチ３２が設けられ、またその裏面側には解除スイッチ３４及び電源スイッチ３６がそれぞれ設けられている（図３参照）。
【００２４】
制御手段２６は例えばマイクロプロセッサなどから構成され、位置情報データを取得するためのＧＰＳ手段３８と、ＩＤコードデータを記憶するための記憶手段４０と、第１監視装置１０及び管理装置１８との間で各種信号や各種データなどを通信するための通信手段４２と、警報信号を生成するための警報信号生成手段４４と、電源オフ信号を生成するための電源オフ信号生成手段４６と、オフ時間（電源スイッチ３６をオフしてから携帯端末本体２０が作動停止するまでの時間）をカウントするためのタイマ４８と、切断監視信号を生成するための切断監視信号生成手段５０と、切断監視信号の導通状態を監視するための切断監視手段５２と、を有している。
【００２５】
ＧＰＳ手段３８は、ＧＰＳ衛星５４からの電波を受信することにより、携帯端末装置６を携帯する被監視者４の現在位置を示す位置情報データを所定時間毎（例えば、約５分毎）に取得する。記憶手段４０は例えばメモリなどから構成され、この記憶手段４０には、携帯端末装置６に固有のＩＤコードデータが記憶されている。ＧＰＳ手段３８により位置情報データが取得されると、この取得した位置情報データ及び記憶手段４０に記憶されたＩＤコードデータは、通信手段４２により所定時間毎（例えば、約５分毎）に通信回線１６を介して管理装置１８に送信される。また、後述するように第１監視装置１０より着呼信号が発信されると、この着呼信号は通信手段４２により自動的に着信されて着信状態となる。音声入力手段３０は例えば小型マイクなどから構成され、上記着信状態において被監視者４の音声などが音声入力手段３０に入力されると、この入力された音声などは音声信号に変換された後に、通信手段４２により通信回線１６を介して第１監視装置１０に送信される。警報出力手段２８は例えば小型スピーカなどから構成され、この警報出力手段２８より大音量のブザーやサイレンなどの警報音（警報）が出力される。
【００２６】
携帯端末本体２０が作動停止されている状態において、電源スイッチ３６をオンすると、駆動用バッテリからの駆動電力が制御手段２６に供給されて携帯端末本体２０が作動される。また、携帯端末本体２０が作動されている状態において警報スイッチ３２を操作すると、警報出力手段２８より警報音が出力されるとともに、警報信号生成手段４４は警報信号を生成し、この警報信号は通信手段４２により通信回線１６を介して管理装置１８に送信される。このように警報音が出力されている状態において、解除スイッチ３４を操作する（又は電源スイッチ３６をオフする）と、警報出力手段２８からの警報音の出力が停止される。また、電源スイッチ３６をオフするとタイマ４８が作動され、タイマ４８によるオフ時間（例えば、約１０秒）のカウントが完了するまで（すなわち、電源スイッチ３６をオフしてからオフ時間が経過するまで）の間に、電源オフ信号生成手段４６は電源オフ信号を生成し、この電源オフ信号は通信手段４２により通信回線１６を介して管理装置１８に送信され、またタイマ４８によるオフ時間のカウントが完了する（すなわち、電源スイッチ３６をオフしてからオフ時間が経過する）と、駆動用バッテリから制御手段２６への駆動電力の供給が停止されて携帯端末本体２０が作動停止される。
【００２７】
装着用ベルト２２は一対のベルト部５６ａ，５６ｂを有し、一対のベルト部５６ａ，５６ｂの内部にはそれぞれその全長に渡って導通ライン５８ａ，５８ｂが配設されている（図３参照）。この導通ライン５８ａ（５８ｂ）は、切断監視信号生成手段５０を介してベルト部５６ａ（５６ｂ）の内部において閉ループを形成しており、切断監視信号生成手段５０により生成された切断監視信号はこの導通ライン５８ａ（５８ｂ）を流れる。また導通ライン５８ａ，５８ｂにはそれぞれ切断監視手段５２が設けられており、この切断監視手段５２は、導通ライン５８ａ，５８ｂにおける切断監視信号の導通状態を監視する。切断監視信号が導通ライン５８ａ（５８ｂ）を流れている状態において、例えばベルト部５６ａ（５６ｂ）が切断されるなどして導通ライン５８ａ（５８ｂ）において切断監視信号の導通が遮断されると、切断監視手段５２は切断判定信号を生成する。この生成された切断判定信号に基づき、警報出力手段２８より警報音が出力されるとともに、警報信号生成手段４４は警報信号を生成し、この警報信号は通信手段４２により通信回線１６を介して管理装置１８に送信される。
【００２８】
また、一対のベルト部５６ａ，５６ｂの各一端部にはそれぞれ、相互に着脱自在に嵌合されるロック部材６０ａ，６０ｂが設けられており、ロック部材６０ａ，６０ｂを相互に嵌合することにより、装着用ベルト２２が例えば被監視者４の腕などに取り付けられ、またロック部材６０ａ，６０ｂのロックを解除して相互に離脱させることにより、装着用ベルト２２が例えば被監視者４の腕などから取り外される。
【００２９】
第１監視装置１０は、例えば携帯電話機やＰＨＳ電話機などから構成され、第１監視者８により携帯される。この第１監視装置１０は、制御手段６２、入力手段６４、表示手段６６、音声入力手段６８、音声出力手段７０及びカメラ手段７２を有している。制御手段６２は、各種信号や各種データなどを管理装置１８及び携帯端末装置６との間で通信するための通信手段７４と、ＩＤコードデータを記憶するための記憶手段７６と、を有している。記憶手段７６は例えばメモリなどから構成され、この記憶手段７６には、携帯端末装置６の記憶手段４０に記憶されたＩＤコードデータに対応するＩＤコードデータが記憶され、これにより携帯端末装置６と第１監視装置１０とが１対１で対応される。入力手段６４は例えばダイヤルボタンなどから構成され、各種処理命令などを入力操作することができ、例えばこの入力手段６４を入力操作すると、着呼信号が通信手段７４により通信回線１６を介して携帯端末装置６に向けて発信される。表示手段６６は例えば液晶パネルなどから構成され、各種データなどが表示される。音声入力手段６８は例えば小型マイクなどから構成され、上記着信状態において、この音声入力手段６８に第１監視者８の音声などが入力されると、この入力された音声などは、音声信号に変換された後に通信手段７４により通信回線１６を介して携帯端末装置６に送信され、この音声信号に対応する音声が警報出力手段２８より出力される。音声出力手段７０は例えば小型スピーカなどから構成され、上記着信状態において、携帯端末装置６の音声入力手段３０からの音声信号が通信回線１６を介して第１監視装置１０に送信されると、この音声信号に対応する音声が音声出力手段７０より出力される。したがって、上記着信状態においては、携帯端末装置６と第１監視装置１０との間で双方向に通話を行うことができる。また、カメラ手段７２は例えば小型カメラなどから構成され、このカメラ手段７２により撮影することにより画像データを得ることができる。
【００３０】
第２監視装置１４は、例えばパーソナルコンピュータなどから構成され、警備会社に設置されている。この第２監視装置１４は、制御手段７８、入力手段８０及び表示手段８２を有している。制御手段７８は、各種信号や各種データなどを管理装置１８との間で通信するための通信手段８４を有している。入力手段８０は例えばマウスやキーボードなどから構成され、各種処理命令などを入力操作することができる。また表示手段８２は例えばＣＲＴや液晶表示装置などから構成され、各種データなどが表示される。
【００３１】
管理装置１８は、例えばシステムコンピュータなどから構成されており、システム管理会社に設置されている。この管理装置１８は、携帯端末装置６より送信された位置情報データを所要の通りに演算処理するための演算処理手段８６と、各種データを記憶するための記憶手段８８と、各種データを登録するためのデータ登録手段９０と、携帯端末装置６、第１監視装置１０及び第２監視装置１４との間で各種データなどを通信するための通信手段９２と、携帯端末装置６を監視するための監視手段９４と、第１監視装置１０及び第２監視装置１４に異常を通知するための異常通知手段９６と、を有している。
【００３２】
演算処理手段８６は、携帯端末装置６からの位置情報データ及びＩＤコードデータを受信すると、この受信した位置情報データを所要の通りに演算処理することにより、携帯端末装置６を携帯する被監視者４の現在位置の経度や緯度などを解析し、位置情報データを地図データに変換する。記憶手段８８は例えばサーバなどから構成され、この記憶手段８８には、地図データに変換された所定時間（例えば、４８時間）分の位置情報データが蓄積されており、最も新しい位置情報データが記憶手段８８に記憶されると（すなわち、所定時間が経過すると）、最も古い位置情報データが記憶手段８８より自動的に消去されるように構成されている。
【００３３】
データ登録手段９０には、第１監視装置１０の入力手段６４を入力操作することにより、被監視者情報データ及び異常通知先データなどが登録され、この登録された各データは記憶手段８８に記憶される。被監視者情報データは被監視者４に関するデータであり、基本情報データ、更新情報データ及び移動予定経路データを含んでいる。基本情報データは、被監視者４に関する一般的なデータであり、例えば被監視者４の携帯する携帯端末装置６のＩＤコードデータ、被監視者４の氏名、性別、年齢、血液型、身長、体重及び学校の所在地などのデータから構成される。更新情報データは、被監視者４に関する日々更新されるデータであり、例えば外出前の被監視者４を第１監視装置１０のカメラ手段７２により撮影した画像データなどから構成される。
【００３４】
移動予定経路データは、被監視者４の移動予定経路に関するデータであり、例えば被監視者４の自宅から学校までの通学経路、通学時間、通学経路のうち例えば地下やトンネル内などのように携帯端末装置６と管理装置１８との通信が途絶える通信不能区間、及びこの通信不能区間を通過する際に要する時間などのデータから構成される。監視手段９４は、この移動予定経路データに基づき第１設定時間及び第２設定時間をそれぞれ設定し、例えば通学経路において通信不能区間を通過する際に要する時間が約１５分であるときには、第１設定時間はこの時間よりも長い約３０分に設定され、また第２設定時間はこの第１設定時間よりも長い約６０分に設定される。
【００３５】
記憶手段８８に記憶された位置情報データ及び被監視者情報データは、第１監視装置１０の入力手段６４及び第２監視装置１４の入力手段８０をそれぞれ入力操作することにより、第１監視装置１０の表示手段６６及び第２監視装置の表示手段８２にそれぞれ表示させることができ、これにより第１監視者８及び第２監視者１２はこれら各データを閲覧することができる。
【００３６】
異常通知先データは、後述するように異常通知手段９６により本異常信号、第１レベルの仮異常信号及び第２レベルの仮異常信号が送信される際の異常の通知先に関するデータである。本実施形態では、本異常信号及び第２レベルの仮異常信号の送信先は第１監視装置１０及び第２監視装置１４に設定され、また第１レベルの仮異常信号の送信先は第１監視装置１０のみに設定されており、このような異常の通知先は、防犯システム２の用途などに応じて適宜設定することができる。なお、第２レベルの仮異常は第１レベルの仮異常よりも異常発生の可能性がより高く、従ってより緊急性が高く、また本異常は第２レベルの仮異常よりもより緊急性が高く設定されている。
【００３７】
監視手段９４は、携帯端末装置６からの警報信号が通信回線１６を介して管理装置１８に送信されると本異常と判定し、異常通知手段９６は、記憶手段８８に記憶された異常通知先データに基づき、通信回線１６を介して第１監視装置１０及び第２監視装置１４にそれぞれ本異常信号を例えば電子メールの形式により送信する。このように本異常が通知されると、第１監視装置１０の表示手段６６及び第２監視装置１４の表示手段８２にはそれぞれ、例えば「本異常発生」などの本異常を示すメッセージなどが表示され、第１監視者８及び第２監視者１２は、この表示を見ることにより被監視者４が緊急事態に遭遇していることを知ることができる。
【００３８】
また監視手段９４は、携帯端末装置６から管理装置１８への位置情報データの送信が第１設定時間（例えば、約３０分）以上途絶えると第１レベルの仮異常と判定し、異常通知手段９６は、記憶手段８８に記憶された異常通知先データに基づき、通信回線１６を介して第１監視装置１０に第１レベルの仮異常信号を例えば電子メールの形式により送信する。このように第１レベルの仮異常が通知されると、第１監視装置１０の表示手段６６に例えば「第１レベルの仮異常発生」などの第１レベルの仮異常を示すメッセージなどが表示され、第１監視者８は、この表示を見ることにより被監視者４が何らかの事態に遭遇している可能性があることを知ることができる。
【００３９】
また監視手段９４は、携帯端末装置６から管理装置１８への位置情報データの送信が第１設定時間を超える第２設定時間（例えば、約６０分）以上途絶えると第１レベルよりも異常の発生している可能性がより高い第２レベルの仮異常と判定し、異常通知手段９６は、記憶手段８８に記憶された異常通知先データに基づき、通信回線１６を介して第１監視装置１０及び第２監視装置１４にそれぞれ第２レベルの仮異常信号を例えば電子メールの形式により送信する。このように第２レベルの仮異常が通知されると、第１監視装置１０の表示手段６６及び第２監視装置１４の表示手段８２にそれぞれ、例えば「第２レベルの仮異常発生」などの第２レベルの仮異常を示すメッセージなどが表示され、第１監視者８及び第２監視者１２は、この表示を見ることにより被監視者４が緊急事態に遭遇している可能性が高いことを知ることができる。
【００４０】
上述のように監視手段９４により本異常又は仮異常と判定されると、記憶手段８８は、蓄積された所定時間分の位置情報データを消去されないように保護する。例えば、記憶手段８８は、書き換え可能なメモリ領域に記憶されている所定時間分の位置情報データを書き換え不能なメモリ領域に移動させて保存する。なお、第１監視装置１０の入力手段６４又は第２監視装置１４の入力手段８０を入力操作することにより、書き換え不能なメモリ領域に記憶された位置情報データを書き換え可能なメモリ領域に再び移動させることができる。
【００４１】
また、監視手段９４は、携帯端末装置６からの電源オフ信号が管理装置１８に送信されると、携帯端末本体２０が正常に作動停止されたと判定し、かかる場合には、携帯端末装置６と管理装置１８との通信が第１設定時間以上又は第２設定時間以上途絶えたとしても、監視手段９４は第１レベルの仮異常又は第２レベルの仮異常と判定しない。
【００４２】
次に、図４をも参照して、上述した防犯システム２による異常の通知の流れについて説明すると、次の通りである。まず、第１監視装置１０の入力手段６４を入力操作することにより、被監視者情報データ及び異常通知先データをそれぞれデータ登録手段９０に登録し（ステップＳ１）、この登録された被監視者情報データ及び異常通知先データはそれぞれ記憶手段８８に記憶される（ステップＳ２）。なお、被監視者情報データの基本情報データ及び異常通知先データについては、一度登録しておけばその後に基本情報データ及び異常通知先データの内容に変更が生じた場合にのみ、変更後の基本情報データ及び異常通知先データを再度登録すればよい。
【００４３】
被監視者４は、例えば通学する際において自宅を出る前に、電源スイッチ３６をオンして携帯端末本体２０を作動させた後に（ステップＳ３，Ｓ４）、携帯端末装置６を例えば被監視者４の腕などに取り付け、自宅を出て学校に向かう。被監視者４が通学経路（移動予定経路）を移動している間、ＧＰＳ手段３８は、ＧＰＳ衛星５４からの電波を受信することにより位置情報データを取得し（ステップＳ５）、この取得した位置情報データ及び記憶手段４０に記憶されたＩＤコードデータは、所定時間毎（例えば、約５分毎）に通信回線１６を介して管理装置１８に送信される（ステップＳ６）。送信された位置情報データは、演算処理手段８６にて所要の通りに演算処理されることにより地図データに変換され（ステップＳ７）、この演算処理された位置情報データ及びＩＤコードデータは記憶手段８８に記憶される（ステップＳ８）。また、被監視者４が通信不能区間を通過するときには、携帯端末装置６と管理装置１８との通信が途絶えるが、この通信が途絶える時間は第１設定時間よりも短いため、監視手段９４は第１レベルの仮異常と判定しない。
【００４４】
例えば被監視者４が例えば痴漢や強盗、暴漢等の犯人に襲われるなどの緊急事態が発生した場合には、ステップＳ９からステップＳ１０を経てステップＳ１１に進み、被監視者４が警報スイッチ３２を操作することにより警報出力手段２８より警報音が出力され、これにより周囲に緊急事態を報知することができるとともに、犯人を威嚇して逃亡を促すことができる。また、警報信号生成手段４４は警報信号を生成し（ステップＳ１２）、この生成された警報信号は通信回線１６を介して管理装置１８に送信され（ステップＳ１３）、これにより監視手段９４は本異常と判定し（ステップＳ１４）、異常通知手段９６は第１監視装置１０及び第２監視装置１４にそれぞれ本異常信号を例えば電子メールの形式により送信する（ステップＳ１５）。
【００４５】
このように本異常が通知されると、第１監視装置１０の入力手段６４を入力操作することにより、第１監視装置１０から発信された着呼信号が携帯端末装置６に自動的に着信されて着信状態となり、この着信状態において第１監視装置１０の音声入力手段６８に第１監視者８の音声などが入力されると、この音声などが警報音とともに携帯端末装置６の警報出力手段２８から出力され、これにより犯人に対して効果的に威嚇することができる。また、被監視者４の音声や犯人の音声、携帯端末装置６の周囲の物音などが携帯端末装置６の音声入力手段３０に入力されると、この音声や物音などが第１監視装置１０の音声出力手段７０より出力され、第１監視者８は、この出力された音声や物音などを聞くことにより被監視者４の周囲の状況などを伺い知ることができる。
【００４６】
また第２監視装置１４の入力手段８０を入力操作することより、記憶手段８８に記憶された最も新しい位置情報データに対応する地図データが読み出されて表示手段８２に表示され、第２監視者１２は、この表示された地図データを参照することにより、被監視者４の現在位置を特定することができる。また、第２監視装置１４の入力手段８０を入力操作することにより、記憶手段８８に記憶された被監視者４の撮影画像データ（更新情報データ）が読み出されて表示手段８２に表示され、第２監視者１２は、この表示された画像データを参照することにより、当日の被監視者４の服装や持ち物などを確認することができる。このように被監視者４の現在位置を特定するとともに、被監視者４の服装や持ち物などを確認した後に、第２監視者１２は、特定した被監視者４の現在位置へと向かい被監視者４の捜索を行う。
【００４７】
緊急事態が回避された場合には、装着用ベルト２２を被監視者４の腕から取り外し、解除スイッチ３４を操作することにより警報音の出力が停止され（ステップＳ１６，Ｓ１７）、携帯端末装置６を被監視者４の腕から取り外して電源スイッチ３６をオフする。電源スイッチ３６をオフすると、ステップＳ１８からステップＳ１９に進み、タイマ４８が作動されてオフ時間のカウントが開始され、また電源オフ信号生成手段４６は電源オフ信号を生成し（ステップＳ２０）、この電源オフ信号は通信回線１６を介して管理装置１８に送信される（ステップＳ２１）。これにより監視手段９４は、電源スイッチ３６がオフされたと判定し（ステップＳ２２）、電源スイッチ３６をオフしてからオフ時間が経過すると、ステップＳ２３からステップＳ２４に進み、携帯端末本体２０が正常に作動停止される。
【００４８】
また、例えば被監視者４が犯人に襲われて、犯人によって装着用ベルト２２のベルト部５６ａ（又はベルト部５６ｂ）が切断された場合には、ステップＳ９からステップＳ２５に進み、このベルト部５６ａ（又はベルト部５６ｂ）の内部に配設された導通ライン５８ａ（又は導通ライン５８ｂ）が切断され、この導通ライン５８ａ（又は導通ライン５８ｂ）において切断監視信号の導通が遮断される。このように切断監視信号の導通が遮断されると、切断監視手段５２は切断判定信号を生成し（ステップＳ２６）、この切断判定信号に基づき警報出力手段２８より警報音が出力され（ステップＳ１１）、更に上述したステップＳ１２〜ステップＳ２４が行われる。
【００４９】
携帯端末装置６から管理装置１８への位置情報データの送信が第１設定時間（例えば、約３０分）以上継続して途絶えた場合には、ステップＳ９からステップＳ１０及びステップＳ２７を経てステップＳ２８に進み、監視手段９４は第１レベルの仮異常と判定し、異常通知手段９６は、第１監視装置１０に第１レベルの仮異常信号を送信する（ステップＳ２９）。このように第１レベルの仮異常が通知されることにより、第１監視者８は、被監視者４が何らかの事態に遭遇している可能性があることを知ることができ、例えば携帯電話機などを用いて被監視者４に連絡を取って被監視者４の安否を確認することができる。
【００５０】
携帯端末装置６から管理装置１８への位置情報データの送信が更に第２設定時間（例えば、約６０分）以上継続して途絶えた場合には、ステップＳ３０からステップＳ３１に進み、監視手段９４は第２レベルの仮異常と判定し、異常通知手段９６は、第１監視装置１０及び第２監視装置１４にそれぞれ第２レベルの仮異常信号を送信する（ステップＳ３２）。このように第２レベルの仮異常が通知されることにより、第１監視者８及び第２監視者１２は、例えば被監視者４が犯人により拉致され、車のトランクや地下倉庫などのように電波の届かない場所に閉じ込められているなどの緊急事態に遭遇している可能性が第１の仮異常よりも高いことを知ることができる。
【００５１】
第２監視装置１４の入力手段８０を入力操作することより、記憶手段８８に記憶された所定時間分の位置情報データに対応する地図データが読み出されて表示手段８２に表示され、この表示された地図データを参照することにより、被監視者４の移動経路履歴を確認することができる。ここで、上述したように記憶手段８８に記憶された所定時間分の位置情報データは消去されないように保護されているので、被監視者４の移動経路履歴を確実に参照することができる。また、第２監視装置１４の入力手段８０を入力操作することにより、記憶手段８８に記憶された当日の被監視者４の撮影画像データ（更新情報データ）が読み出されて表示手段８２に表示され、第２監視者１２は、この表示された画像データを参照することにより、当日の被監視者４の服装や持ち物などを確認することができる。このように被監視者４の移動経路履歴を確認して被監視者４の現在位置を予測するとともに、被監視者４の服装や持ち物などを確認した後に、第２監視者１２は、予測した被監視者４の現在位置へと向かい被監視者４の捜索を行う。第２監視者１２による捜索の結果、被監視者４が発見され、緊急事態が回避された場合には、携帯端末装置６を被監視者４の腕から取り外し、更に上述したステップＳ１８〜ステップＳ２４が行われる。
【００５２】
緊急事態が発生することなく、あるいは携帯端末装置６と管理装置１８との通信が第１設定時間以上途絶えることなく、被監視者４が無事に帰宅した場合には、ステップＳ９からステップＳ１０及びステップＳ２７を経てステップＳ１８に進み、携帯端末装置６を被監視者４の腕から取り外して電源スイッチ３６をオフし、更に上述したステップＳ１９〜ステップＳ２４が行われる。なお、継続して携帯端末装置６を使用する場合には、電源スイッチ３６をオフすることなく、ステップＳ１８からステップＳ５に進み、上述したのと同様のステップが行われる。
【００５３】
このような本実施形態の防犯システム２では、携帯端末装置６と管理装置１８との通信が途絶えたときに第１監視装置１０及び／又は第２監視装置１４に仮異常を通知するので、第１監視者８及び／又は第２監視者１２は、被監視者４が緊急事態に遭遇している可能性があることを知ることができ、被監視者４の安全を確保するための適切な処置を行うことができる。
【００５４】
なお、本実施形態では、本異常が通知された際に携帯端末本体６と第１監視装置１０との間で通話を行うようにしたが、本異常が通知されない場合であっても、携帯端末本体６と第１監視装置１０との間で通話を行うようにしてもよく、これにより被監視者４の安否を適宜確認することができる。あるいは、本異常又は仮異常が通知されない場合であっても、記憶手段８８に記憶された位置情報データを第１監視装置１０の表示手段６６又は第２監視装置１４の表示手段８２に表示させるようにしてもよく、これにより被監視者４の現在位置を適宜確認することができる。
【００５５】
以上、本発明に従う防犯システムの一実施形態について説明したが、本発明はかかる実施形態に限定されるものではなく、本発明の範囲を逸脱することなく種々の変形乃至修正が可能である。
【００５６】
例えば、上記実施形態では、仮異常を第１レベル及び第２レベルの仮異常から構成したが、これに限られず、例えば１段階のレベルの仮異常又は３段階以上のレベルの仮異常から構成してもよい。例えば、３段階のレベルの仮異常から構成した場合には、監視手段９４により第１〜第３設定時間が設定され、監視手段９４は、携帯端末装置６と管理装置１８との通信が第１設定時間以上途絶えたときには第１レベルの仮異常と判定し、携帯端末装置６と管理装置１８との通信が第１設定時間を超える第２設定時間以上途絶えたときには第１レベルよりも高い第２レベルの仮異常と判定し、また携帯端末装置６と管理装置１８との通信が第２設定時間を超える第３設定時間以上途絶えたときには第２レベルよりも高い第３レベルの仮異常と判定する。あるいは、上記実施形態において、携帯端末装置６と管理装置１８との通信が第２設定時間以上途絶えたときには、監視手段９４は本異常と判定するように構成してもよい。
【００５７】
また例えば、上記実施形態では、第１監視装置１０を携帯電話機から構成したが、例えばこれをパーソナルコンピュータなどの適宜の端末装置から構成してもよい。また例えば、上記実施形態では、ベルト部５６ａ，５６ｂの内部に設けられた導通ライン５８ａ，５８ｂが切断された際に警報音が出力されるように構成したが、この導通ライン５８ａ，５８ｂを省略するようにしてもよい。また例えば、上記実施形態では、携帯端末装置６は、携帯端末本体２０及びこれに取り付けられた装着用ベルト２２から構成したが、これに限られず、例えば携帯電話機、ＰＨＳ電話機又はポケットベルなど、適宜の携帯可能な端末装置から構成してもよい。
【００５８】
また例えば、上記実施形態では、警報スイッチ３２を操作すると、警報出力手段２８より警報音が出力されるように構成したが、例えば次のように構成してもよい。すなわち、警報スイッチ３２を操作すると、警報出力手段２８より警報音は出力されず、警報信号生成手段４４により警報信号の生成のみが行われる。これにより本異常の通知を受けた第１監視者８が第１監視装置１０の入力手段６４を入力操作することにより着信状態とし、第１監視装置１０の音声入力手段６８に第１監視者８の音声を入力することにより、警報出力手段２８から出力される音声のみにより犯人を威嚇するように構成してもよい。
【００５９】
また例えば、上記実施形態では、防犯システム２は、第１監視装置１０及び第２監視装置１４を備えるように構成したが、これらのうちいずれか一方を省略するように構成してもよく、例えば第２監視装置１４を省略した場合には、管理装置１８を警備会社に設置するように構成してもよい。
【００６０】
また例えば、上記実施形態では、携帯端末装置６及び第１監視装置１０をそれぞれ１つのみ設けたが、これらをそれぞれ複数設けるように構成してもよく、かかる場合には、ＩＤコードデータにより携帯端末装置６と第１監視装置１０とが１対１で対応されるようになる。したがって、例えば第１監視装置１０より着呼信号が発信されると、この第１監視装置１０に対応する携帯端末本体６により着呼信号が着信される。
【００６１】
また例えば、上記実施形態では、被監視者４が自宅から学校までの通学経路を移動する場合について説明したが、これに限られず、例えば自宅から塾までの移動経路を移動する場合について適用してもよく、移動予定経路は適宜設定することができる。
【００６２】
また例えば、上記実施形態では、本異常信号及び仮異常信号の送信を電子メールの形式により行うように構成したが、これに限られず、例えば次のようにして構成してもよい。すなわち、本異常を通知する際には、管理装置１８からの着呼信号が第１監視装置１０に着信されて着信状態となり、管理装置１８より発信された「本異常が発生しました」などの音声メッセージの形式の本異常信号及び仮異常信号が第１監視装置１０により受信され、この音声メッセージが第１監視装置１０の音声出力手段７０から出力されるようにしてもよい。
【００６３】
また例えば、上記実施形態では、監視装置９４により本異常又は仮異常と判定されると、この判定に基づき、記憶手段８８は蓄積された所定時間分の位置情報データを消去されないように保護するように構成したが、例えば次のように構成してもよい。すなわち、異常の通知を受けた第１監視者８又は第２監視者１２が、第１監視装置１０の入力手段６４又は第２監視装置１４の入力手段８０を入力操作することにより、第１監視装置１０又は第２監視装置１４より保護指令信号を通信回線１６を介して管理装置１８に送信し、この保護指令信号に基づき、記憶手段８８が所定時間分の位置情報データを消去されないように保護するように構成してもよい。
【図面の簡単な説明】
【００６４】
【図１】本発明の一実施形態による防犯システムを簡略的に示す概念図である。
【図２】図１の防犯システムの構成を簡略的に示すブロック図である。
【図３】図２の携帯端末装置を示す概略斜視図である。
【図４】図２の防犯システムによる異常の通知の流れを示すフローチャートである。
【符号の説明】
【００６５】
２  防犯システム
６  携帯端末装置
１０  第１監視装置
１４  第２監視装置
１６  通信回線
１８  管理装置
２０  携帯端末本体
２２  装着用ベルト
２８  警報出力手段
４４  警報信号生成手段
５８ａ，５８ｂ  導通ライン
６８  音声入力手段
８８  記憶手段
９０  データ登録手段
９４  監視手段
９６  異常通知手段
【図１】
2008017174.tif 000003
【図２】
2008017174.tif 000004
【図３】
2008017174.tif 000005
【図４】
2008017174.tif 000006